(57)【特許請求の範囲】
【請求項１】
煙突に沿って立設されたマストと、
前記煙突に周設された作業床と、
前記作業床の下方に配設された点検用作業床と、を備える煙突解体用足場であって、
前記作業床は、前記マストをガイドレールとして昇降し、
前記点検用作業床は、前記マストをガイドレールとして前記作業床とは独立して昇降し、
前記点検用作業床には、前記作業床の直下に配設した際に、前記作業床と当該点検用作業床との間で移動を可能とする昇降階段または昇降はしごが設けられていることを特徴とする、煙突解体用足場。
【請求項２】
煙突の外面に沿って昇降する作業床を設置する作業床設置工程と、
前記作業床を利用して前記煙突を解体する解体工程と、を備える煙突解体工法であって、
前記作業床設置工程は、
前記煙突に沿ってマストを立設する作業と、
前記マストを昇降可能な作業床を前記煙突に周設する作業と、
昇降階段または昇降はしごを有し、前記マストを昇降する点検用作業床を作業床の下方に設ける作業と、を有し、
前記解体工程では、前記作業床上において前記煙突を解体し、前記点検用作業床を利用して前記煙突の状況を確認するとともに、必要に応じて前記昇降階段または前記昇降はしごを利用して前記点検用作業床から前記作業床へ資材を輸送することを特徴とする、煙突解体工法。
【発明の詳細な説明】
【技術分野】
【０００１】
本発明は、煙突解体用足場および煙突解体工法に関する。
【背景技術】
【０００２】
煙突を解体する方法としては、長尺のブームを有した重機を利用して煙突の上部から破砕する方法や、煙突の周囲を囲うように仮設足場を組み立てて、この足場上において人力により煙突をはつる方法がある。
ところが、重機を利用した解体方法は、アーム先端の圧砕具が届く範囲（ブームの長さ）に限界があるため、施工可能な煙突が限られていた。
また、仮設足場を利用した解体方法は、仮設足場の設置および撤去に手間がかかり、工期短縮化の妨げとなっていた。
そのため、特許文献１には、煙突に沿って立設された鋼管ロッドを昇降する作業床に載置された解体ロボットを利用して、煙突を解体する方法が開示されている。
【先行技術文献】
【特許文献】
【０００３】
【特許文献１】特開２００５−０６８７５７号公報
【発明の概要】
【発明が解決しようとする課題】
【０００４】
特許文献１の施工方法は、解体に伴う煙突の変位等を確認する場合や、作業床への資材や装置等を搬入する際には、作業床を昇降させる必要がある。そのため外径が変化する煙突（例えば、上部よりも下部の外径が大きい煙突等）の場合には、作業床を昇降させるたびに作業床と煙突外面との間の隙間養生を撤去または設置する必要があり、手間がかかる。
【０００５】
このような観点から、本発明は、煙突解体時の点検等を簡易に行うことが可能な煙突解体用足場および煙突解体工法を提案することを課題とする。
【課題を解決するための手段】
【０００６】
前記課題を解決するために、本発明の煙突解体用足場は、煙突に沿って立設されたマストと、前記煙突に周設された作業床と、前記作業床の下方に配設された点検用作業床とを備えるものであって、前記作業床は前記マストをガイドレールとして昇降し、前記点検用作業床は前記マストをガイドレールとして前記作業床とは独立して昇降し、前記点検用作業床には前記作業床の直下に配設した際に前記作業床と当該点検用作業床との間で移動を可能とする昇降階段または昇降はしごが設けられていることを特徴としている。
【０００７】
かかる煙突解体用足場は、独立して昇降する点検用作業床を有しているため、作業床を上部に据え付けた状態で、煙突の変位や変形等を確認することができるとともに、必要に応じて資材等の作業床への輸送を行うこともできる。そのため、従来の施工方法に比べて作業性が向上する。
【０００８】
本発明の煙突解体工法は、煙突の外面に沿って昇降する作業床を設置する作業床設置工程と、前記作業床を利用して前記煙突を解体する解体工程とを備えており、前記作業床設置工程は、前記煙突に沿ってマストを立設する作業と、昇降階段または昇降はしごを有し、前記マストを昇降可能な作業床を前記煙突に周設する作業と、前記マストを昇降する点検用作業床を作業床の下方に設ける作業とを有し、前記解体工程では、前記作業床上において前記煙突を解体し、前記点検用作業床を利用して前記煙突の状況を確認するとともに、必要に応じて前記昇降階段または前記昇降はしごを利用して前記点検用作業床から前記作業床へ資材を輸送することを特徴としている。
【０００９】
かかる煙突解体工法によれば、点検用作業床を利用して、煙突の状況を確認するので、より安全に煙突の解体工事を行うことができる。
また、点検用作業床を利用すれば、作業床への資材等の輸送を簡易に行うこともできる。
【発明の効果】
【００１０】
本発明の煙突解体用足場および煙突解体工法によれば、煙突解体時における煙突の点検等を簡易に行うことが可能となる。
【図面の簡単な説明】
【００１１】
【図１】本発明の実施形態に係る煙突解体用足場を示す立面図である。
【図２】図１の煙突解体用足場を示す平面図である。
【図３】煙突解体用足場の一部を示す断面図である。
【図４】点検用作業床を示す図であって、（ａ）は側面図、（ｂ）は平面図である。
【図５】（ａ）〜（ｄ）は、煙突解体時の各施工段階を模式的に示す斜視図である。
【発明を実施するための形態】
【００１２】
本実施形態では、図１に示すように、煙突解体用足場１を利用して、既存の煙突２を解体する場合について説明する。
本実施形態の煙突２は、円筒状に形成されたコンクリート構造物であって、下部から上部に向うに従って徐々に縮径する円錐台状を呈している。
【００１３】
煙突解体用足場１は、一対のマスト３，３と、主作業床４と、点検用作業床５とを備えている。
一対のマスト３，３は、煙突２を挟んで対向するように立設されている。
本実施形態のマスト３は、複数の角柱状のマスト部材を上下方向に連結することにより煙突２以上の高さに形成されている。なお、マスト３の構成は限定されるものではなく、例えば、マスト部材が円柱状や三角柱状の部材であってもよい。また、マスト３の本数は２本に限定されるものではなく、例えば１本でもよいし３本以上であってもよい。
マスト３は、つなぎ部材３１を介して煙突２に固定されている。つなぎ部材３１は、アンカー（図示せず）により煙突２の側面に固定されている。なお、マスト３の固定方法は限定されるものではない。
マスト３には、歯切りしたラック（図示せず）が取り付けられている。
【００１４】
主作業床４は、図１および図２に示すように、煙突２に周設されていて、一対のマスト３，３をガイドレールとして昇降する。
本実施形態の主作業床４は、図２に示すように、本体足場４１と、張出足場４２とを備えている。
本体足場４１は、煙突２の最大外径（最大幅）よりも大きな幅の開口４４を中央部に有し、平面視枠状を呈している。また、本体足場４１には、マスト３を挿通するための凹部４５，４５が開口４４に面して開口している。
【００１５】
本体足場４１には、凹部４５に隣接してモータ６が配設されている。モータ６にはマスト３のラックに歯合されたギア（図示せず）が設けられている。モータ６の動力でギアを回転させることにより、本体足場４１（主作業床４）がマスト３に沿って昇降する。
各凹部４５に隣接して設けられたモータ６，６は、同期して駆動するように構成されている。
【００１６】
張出足場４２は、本体足場４１の開口４４の縁から煙突２に向けて張り出している。
本実施形態では、図３に示すように、本体足場４１から張り出した支持梁４２ａ上に足場板４２ｂを敷き並べることにより張出足場４２を形成する。
支持梁４２は、本体足場４１の下面に摺動可能に設けられており、張出足場４２の設置時には煙突２に向けて進出し、張出足場４２撤去時（開口４４の解放時）には煙突から後退するように構成されている。
なお、張出足場４２の構成は限定されるものではなく、例えば、鋼板を開口４４に張り出させてもよい。
【００１７】
隙間養生部材４３は、図２および図３に示すように、煙突２の外面に周設されることで本体足場４１または張出足場４２と煙突２の外周との隙間を閉塞する。
隙間養生部材４３の構成は限定されるものではないが、例えば、隙間を覆うようにシートを設置すればよい。
【００１８】
点検用作業床５は、図１に示すように、主作業床４の下方に配設されている。
点検用作業床５は、一対のマスト３，３のうちのいずれか一方のマスト３をガイドレールとして作業床４とは独立して昇降する。
本実施形態では、一方のマスト３のみに点検用作業床５を配設した場合について説明したが、各マスト３に点検用作業床５を配設してもよい。
【００１９】
点検用作業床５は、図４（ａ）および（ｂ）に示すように、足場本体５１と、昇降階段５２とを備えている。
足場本体５１には、マスト３の位置に対応して凹部５３が形成されている。また、足場本体５１には、凹部５３に隣接してモータ６が上載されている。モータ６にはマスト３のラックに歯合されたギア（図示せず）が設けられている。モータ６の動力でギアを回転させることにより、点検用作業床５がマスト３に沿って昇降する。
昇降階段５２は、足場本体５１上に設けられている。昇降階段５２は、点検用作業床５を主作業床４の直下に配設した際に、作業床４の昇降階段（図示せず）に近接し、主作業床４と点検用作業床５との間で作業員の移動が可能となる。なお、昇降階段５２に代えて、昇降はしごを設けてもよい。
【００２０】
次に、煙突解体用足場１を利用した煙突解体工法について説明する。
本実施形態では、煙突２の上端から地上２０ｍ付近までの上部区間２１を、煙突解体用足場１を利用した人力施工により行い、地上２０ｍ付近から下の下部区間２２を、重機を利用した機械施工により行う。
人力施工による煙突解体工法は、作業床設置工程と、解体工程とを備えている。
【００２１】
作業床設置工程は、煙突解体用足場１を設置する工程である。
作業床設置工程では、まず、一対のマスト３，３を、煙突２を挟んで対向するように立設する。マスト３は、煙突２に隣接して据え付けたベース部分３２上に最下段のマスト部材を立設させた後、所定数のマスト部材を連結することにより形成する。
マスト３の施工には、クレーンを使用してもよいし、マスト３に沿って昇降する主作業床４を利用して随時延長させてもよい。
マスト３，３の施工の伴い、主作業床４および点検用作業床５を設置する。
まず、点検用作業床５をマスト３に設置し、続いて、点検用作業床５の上方に主作業床４を設置する。主作業床４は、マスト３に設置しつつ、煙突２に周設する。
なお、主作業床４および点検用作業床５は、マスト３，３が完成してから設置してもよいし、マスト３，３の下部分が形成された段階で設置してもよい。また、点検用作業床５は、主作業床４をマスト３，３に設置してから主作業床４の下方に設置してもよい。さらに、主作業床４は、地上において組み立てた状態でマスト３，３に取り付けてもよい。
【００２２】
解体工程は、煙突解体用足場１を利用して煙突２を解体する工程である。
解体工程では、まず、主作業床４を煙突２の上端部に移動させる。主作業床４を所定の位置に配置したら、本体足場４１の開口縁から張出足場４２を煙突２に向けて張り出させる。そして、張出足場４２上において、隙間養生部材４３を煙突２の外面に周設して、張出足場４２と煙突２との間に形成された隙間を閉塞する。
【００２３】
隙間養生が完了したら、図３に示すように、主作業床４上において煙突２をはつることにより、煙突２を解体する。煙突２の解体は、コンクリートブレーカＭ等を利用して、所定形状のコンクリートブロック片２３（図５（ｃ）参照）に分割することにより行う。なお、煙突２の解体に使用する機械はコンクリートブレーカＭに限定されるものではない。
煙突２の解体は、まず、図５（ａ）に示すように、コンクリートブレーカＭを利用して煙突２の上端から縦に切断して、２本のスリット２４，２４を煙突２に形成する。なお、スリット２４の形状は限定されないが、本実施形態では、高さ１ｍ、幅２０ｃｍとする。
【００２４】
次に、スリット２４の形成に伴って露出した煙突２の鉄筋（横筋）２５を切断する。なお、横筋２５の切断方法は限定されないが、本実施形態ではガス切断により行う。
続いて、図５（ｂ）に示すように、一方のスリット２４の下端から他方にスリット２４の下端に向けて、横スリット２６を形成する。なお、スリット２４の形状は限定されないが、本実施形態では幅２０ｃｍとする。
横スリット２６を形成したら、図５（ｃ）に示すように、横スリット２６の形成に伴って露出した鉄筋（縦筋）２７を折り曲げて、コンクリートブロック片２３を煙突２の内側に傾けさせる。
【００２５】
そして、縦筋２７を切断することで、煙突２からはつり取ったコンクリートブロック片２３は、煙突２の内部を落下させる（図５（ｄ）参照）。ここで、煙突２の下部には、予めガラ排出口を設けておき、落下させたコンクリートブロック片２３の搬出を可能に構成しておく。
【００２６】
同様に、コンクリートブロック片２３を煙突２の周方向に沿って撤去することにより、煙突２の上部をはつり取る。
なお、煙突２の解体に伴い、点検用作業床５を利用して煙突２の健全度（亀裂や変位の有無等）を確認する。また、必要な資材や用具等を、点検用作業床５を利用して、地上部から主作業床４間で輸送する。
煙突２の上部の切断が完了したら、張出足場４２および隙間養生部材４３を撤去して、主作業床４を下降させる。そして、主作業床４を所定の位置に下降させたら、隙間養生を行い、煙突２の解体を行う。なお、主作業床４の下降に伴い、マスト３の上端部のマスト部材を撤去してもよい。
このように、主作業床４の下降と煙突２の解体を繰り返すことにより、煙突２の上部区間を解体する。
【００２７】
本実施形態の煙突解体用足場１および煙突解体工法によれば、独立して昇降する点検用作業床５を有しているため、主作業床４を上部に据え付けた状態で、煙突２の変位や変形等を確認することができるとともに、必要に応じて資材等の主作業床への輸送を行うこともできる。そのため、主作業床４を移動させる回数を減らすことで、養生（張出足場４２や隙間養生部材４３の設置・撤去）に要する手間を削減することができ、作業性に優れている。
また、枠組み足場を使用する従来の施工方法に比べて、足場の組み立てや解体時の高所作業量を大幅に削減することが可能となり、安全性および作業性に優れている。また、部材点数が少ないため、点検作業を簡易かつ確実に行うことができる。
強風時等の異常気象時には、主作業床４および点検用作業床５を降下させることで安全性を確保することができる。
マストは軽量なマスト部材を組み合わせることにより形成するため、施工性に優れている。
【００２８】
以上、本発明の実施形態について説明したが本発明は、前述の実施形態に限られず、前記の各構成要素については、本発明の趣旨を逸脱しない範囲で、適宜変更が可能である。
例えば、煙突２の形状は限定されるものではなく、全長にわたって同一の外形を有した筒状構造物であってもよい。また、煙突２は必ずしも円筒状でなくてもよく、角筒状であってもよい。
張出足場４２は、必要に応じて設ければよい。
同様に、隙間養生部材４３も必要に応じて設ければよい。また、隙間養生部材４３の構成は、前記実施形態で示したものに限定されない。
【符号の説明】
【００２９】
１    煙突解体用足場
２    煙突
３    マスト
４    主作業床（作業床）
４１  本体足場
４２  張出足場
４３  隙間養生部材
５    点検用作業床
【図１】
0006622504.tif 000002
【図２】
0006622504.tif 000003
【図３】
0006622504.tif 000004
【図４】
0006622504.tif 000005
【図５】
0006622504.tif 000006